(57)【特許請求の範囲】
【請求項１】
本体と、
上記本体に対しヒンジ部を介して開閉自在に設けられた表示部と、
剛性、硬度及び耐衝撃性を有する材質から成り、パイプ状に一体成型した保護部材を、上記ヒンジ部を除いた上記表示部の周縁部に対し周縁方向に突出して配設することにより上記本体及び上記表示部に対し外部からの衝撃を保護する保護手段と
を具える情報処理装置。
【請求項２】
上記保護部材は、ＡＢＳ樹脂材でなる
請求項１に記載の情報処理装置。
【請求項３】
上記保護部材は、ガスアシスト成型法を用いることにより中空かつ一体に射出成型した上記パイプ状の部材である
請求項１に記載の情報処理装置。
【発明の詳細な説明】
【０００１】
【発明の属する技術分野】
本発明は情報処理装置に関し、例えばノートブック型パーソナルコンピュータに適用して好適なものである。
【０００２】
【従来の技術】
従来パーソナルコンピュータにおいて、マザーボードやハードディスクドライブを内蔵した偏平板状の本体に、液晶表示パネル等の薄型表示手段を有する表示部を回動自在に設けたノートブック型コンピュータ（以下、これをノートパソコンと呼ぶ）がある。
【０００３】
かかる構成のノートパソコンにおいては、その使用時において、表示部を本体に対して展開することにより、当該本体の上面に設けられたキーボードを使用可能な状態にすると共に、表示手段をユーザに対して対向させて視認可能な状態とし、その携帯時において、表示部を本体に対して閉じることにより、本体と表示部とを一体化してノートパソコン全体の形状を小型化し、携帯性を向上し得るようになされている。
【０００４】
【発明が解決しようとする課題】
ところでかかる構成のノートパソコンにおいては、その携帯中に外部から衝撃を受けることがあり、当該衝撃によって本体に内蔵されたＣＰＵ（Central Processing Unit ）やハードディスクドライブが破損することがあるという問題があった。
【０００５】
本発明は以上の点を考慮してなされたもので、外部からの衝撃に対して強固な情報処理装置を提案しようとするものである。
【０００６】
【課題を解決するための手段】
かかる課題を解決するため本発明においては、本体と、本体に対しヒンジ部を介して開閉自在に設けられた表示部と、剛性、硬度及び耐衝撃性を有する材質から成り、パイプ状に一体成型した保護部材を、ヒンジ部を除いた表示部の周縁部に対し周縁方向に突出して配設することにより本体及び表示部に対し外部からの衝撃を保護する保護手段とを設けた。
【０００７】
この結果表示部の周縁部に突出して配設した保護部材により外部の衝撃から本体及び表示部を保護できる。
【０００８】
【発明の実施の形態】
以下図面について本発明の一実施の形態を詳述する。
【０００９】
図１において、１は全体として本発明を適用したノートブック型パーソナルコンピュータ（以下、これをノートパソコンと呼ぶ）を示し、本体２と、当該本体２に対して開閉自在に設けられた表示部３とで構成されている。
【００１０】
第２の筐体としての本体２には、その上面に各種文字や記号及び数字等を入力するための複数の操作キーからなるキーボード４、２つのスピーカ５、マウスカーソルの移動に用いられるタッチパッド６、通常のマウスにおける左ボタン及び右ボタンに相当する左クリックボタン７及び右クリックボタン８、及び押しボタン式の電源スイッチ９が設けられている。
【００１１】
また、本体２の上面前端におけるタッチパッド６の右隣近傍にはツメ１０が設けられると共に、当該ツメ１０に対応する表示部３の所定位置には孔部１１が設けられており、表示部３を本体２に対して閉じた状態でツメ１０が孔部１１に嵌合されてロックされることにより、表示部３を閉じた状態に保持するようになされている。
【００１２】
さらに、本体２の前側面にはスライドレバー１２が設けられており、当該スライドレバー１２をスライドすることにより、孔部８に嵌合されたツメ１０のロックを解除し、表示部３を本体２に対して開き得るようになされている。
【００１３】
一方、第１の筐体としての表示部３には、その正面にＴＦＴ−ＬＣＤ(Thin Film Transistor-Liquid Cryctal Display) でなる液晶表示パネルを用いた液晶ディスプレイ１５が設けられている。
【００１４】
また、表示部３における本体２とのヒンジ部１６を除いた周縁部には、例えばＡＢＳ等の合成樹脂を屈曲した丸パイプ状に成形してなる周縁保護材１７が周設されている。
【００１５】
図２に示すように、保護手段としての周縁保護材１７は、その外周が本体２の周縁部よりも外方に張り出すようになされており、ノートパソコン１の携帯時等に外部から加えられる衝撃を受け止めることにより、ハードディスクドライブ等の精密デバイスを内蔵した本体２を衝撃から保護するようになされている。
【００１６】
また周縁保護材１７はその全長に渡って内部が中空に成形されており、その重量を軽減すると共に、受け止めた衝撃に応じて適度に変形して衝撃を吸収するようになされている。
【００１７】
ここで、一般に周縁保護材１７のような屈曲したパイプ状部材を製造する場合、図３（Ａ）に示すように比較的簡単な形状に分割された複数のパイプ部材５０Ａ〜５０Ｃを接合して構成したり、あるいは図３（Ｂ）に示すように上下に分割されたＵ字断面の半体部材５１Ａ、５１Ｂを接合して構成することが考えられる。
【００１８】
しかし、これらの製造方法においてはいずれも各部材を接着或いは溶着等の方法で接合する必要があり、これにより接合部の強度や外観品位が低下すると共に製造工程が煩雑になるという問題がある。
【００１９】
これに対して本願発明のノートパソコン１においては、ガスアシスト成形法と呼ばれる中空成形法を用いて周縁保護材１７を射出成形することにより、当該周縁保護材１７を分割することなく一体かつ中空に成形することができ、これにより周縁保護材１７の強度及び外観品位を向上し得るようになされている。
【００２０】
ちなみに図４はガスアシスト成形法の原理を示し、金型５２のキャビティ５３内に当該キャビティ５３の容積よりも少ない量の溶融樹脂５４を射出ノズル５５から充填した後（図４（Ａ））、窒素ガス等の不活性ガスを注入することにより成型品５６の内部に中空部５７を形成するものである（図４（Ｂ））。
【００２１】
かくしてノートパソコン１においては、ガスアシスト成形法を用いて中空かつ一体に成形された周縁保護材１７を、本体２の外周よりも張り出すようにして表示部３に周設したことにより、外部からの衝撃を当該周縁保護材１７で確実に吸収して本体２及び表示部３を保護する。
【００２２】
また図５に示すように、本体２におけるヒンジ部カバー１８の内部には、ノートパソコン１の動作状態を表示するためのインジケータ部２０が収納されている。
【００２３】
図６はインジケータ部２０の構造を示し、導光体２１、遮光体２２及びマスクシール２３で構成される。
【００２４】
導光体２１は、略Ｓ字状に形成された角棒状の４個の導光部材２１Ａを連結部材２１Ｂで連結した形状でなり、導光性の良いアクリル樹脂で一体成形されている。そして導光体２１は、本体２内のシャーシ２５に設けられた４個の開孔部２５Ａ内に配設されたＬＥＤ（Light Emitting Diode）２７が照射する照明光を、対応する導光部材２１Ａの受光面２１Ｃで受光して導光し、出射面２１Ｄから出射するようになされている。
【００２５】
遮光体２２は、導光体２１の外形に対応した略台形筒状の黒色プラスチック部材でなり、その内部に導光体２１を収納した状態で入射面２１Ｃ及び出射面２１Ｄ以外の部分をカバーし、不要な光漏れを防止するようになされている。
【００２６】
また、遮光体２２の左右両側面には取付ツメ２２Ａが設けられ、シャーシ２５のツメ孔２５Ｂに嵌合することにより、収納した導光体２１を所定位置に保持するようになされている。
【００２７】
マスクシール２３は塩化ビニール等の透明シート材でなり、遮光体２２の開口部２３Ｂを覆うようにして貼付される。マスクシール２３の一面は、ノートパソコン１の電源が投入されていることを示す電源マーク２３Ａ、バッテリの充電状態を示す電池マーク２３Ｂ及びＨＤＤ（Hard Disk Drive ）へのアクセス状態を示すＨＤＤアクセスマーク２３Ｃの各図案を白抜きした黒色印刷がなされている。
【００２８】
電源マーク２３Ａ、電池マーク２３Ｂ及びＨＤＤアクセスマーク２３Ｃは、それぞれ対応する３本の導光部材２１Ａの出射面２１Ｄに対向する位置に設けられており、当該出射面２１Ｄから出射される照明光によって照明されることにより、それぞれの図案を発光表示する。
【００２９】
一方、ヒンジ部カバー１８は例えば濃紫色に着色されたポリカーボネート等の透明プラスチック材で成形されていると共に、マスクシール２３に対向する領域には、裏面が長方形に肉抜きされた薄肉部１８Ａが設けられており、発光するマーク２３Ａ〜２３Ｃを薄肉部１８Ａを透過してユーザに視認させるようになされている。このためノートパソコン１においては、発光中のマーク２３Ａ〜２３Ｃのみがヒンジ部カバー１８を透過して視認され、消灯中のマーク２３Ａ〜２３Ｃや遮光体２２はヒンジ部カバー１８に遮蔽されて視認し得ない。
【００３０】
ここで、従来のノートパソコンにおけるインジケータ部の構造としては、表示すべきマークに応じた数の表示孔を筐体に設け、導光体の先端を当該表示孔に挿入して筐体表面に露出させ、筐体内部に設けられたＬＥＤ等の光源からの照明光を導光体によって筐体外部に導光して表示するものが一般的である。
【００３１】
ところがかかる構造のインジケータ部においては、マークに応じた数の表示孔を筐体に設ける必要があることから、ノートパソコンの仕様変更等によって表示すべきマークの本数が増減した場合、これに応じて表示孔の数を変更しなければならず、筐体自体の設計を変更しなければならないという問題がある。
【００３２】
これに対して本願発明のノートパソコン１においては、ヒンジ部カバー１８の内部にインジケータ部２０を設け、当該ヒンジ部カバー１８を透過してマーク２３Ａ〜２３Ｃを表示するようにしたことにより、ヒンジ部カバー１８を変更することなく、マスクシール２３の印刷パターンを変更するだけでマークの数や図案を変更することができる。
【００３３】
すなわち、導光体２１は４本の導光部材２１Ａを有しているのに対し、マスクシール２３には３つのマーク２３Ａ〜２３Ｃが印刷されており、右端の導光部材２１Ａは未使用となっている。
【００３４】
そして、ノートパソコン１の仕様変更によって表示すべきマークの数が４つに増加した場合、マスクシール２３の印刷パターンを変更して右端の導光部材２１Ａに対応する位置に新たなマークを設けるだけで仕様変更に対応することができる。同様に、表示すべきマークの数が減少した場合でも、マスクシール２３の印刷パターンを変更するだけで仕様変更に対応することができる。
【００３５】
また、従来のノートパソコンにおけるインジケータ部の構造においては、導光体の先端を表示孔に挿入することから、ノートパソコン１の組み立て時における導光体の位置決めが煩雑になるのに対し、本願発明のインジケータ部２０においてはその構造がヒンジ部カバー１８の内部で完結していることから、ヒンジ部カバー１８とインジケータ部２０との相対位置が多少ずれても組み立てには差し支えなく、これによりノートパソコン１の組み立てが容易になるという利点がある。
【００３６】
一方図７に示すように、ノートパソコン１の背面１Ａには、ＵＳＢ（Universal Serial Bus）やＬＡＮ（Local Area Network）等の各種コネクタが配設された入出力ポート部３０が設けられていると共に、当該背面１Ａにおけるヒンジ部１６には、略弓型の円柱状部材でなるハンドル３１が、本体２に対して所定角度範囲内で回動自在に枢設されている。ここで、表示部３の回動軸及びハンドル３１の回動軸は同一軸線上（すなわち図１０に示す回動軸Ｂ）に設けられていると共に、周縁保護材１７の外径とハンドル３１の外径とは同一になされており、全体として周縁保護材１７とハンドル３１とが連続した外形を有している。
【００３７】
そしてハンドル３１においては、図８（Ａ）及び図９（Ａ）に示すように本体２に対して平行に起立させることにより、ノートパソコン１を携行する際の把持部として使用し得るようになされている（この回動位置を携行位置Ｐ１と呼ぶ）。
【００３８】
またハンドル３１においては、図８（Ｂ）及び図９（Ｂ）に示すように下方に回動して折り畳むことにより、ノートパソコン１の奥行き方向の寸法を小型化し、さらに図１０に示すように、把持部３１Ａを本体２の下面側に位置させ、これによりノートパソコン１を机等に載置した状態で本体２を傾斜させてキーボード４の操作性を向上するためのチルトスタンドとして使用し得るようになされている（この回動位置をチルトスタンド位置Ｐ２と呼ぶ）。
【００３９】
ここで本体２においては、図１１に示すように、ハンドル３１の垂直部３１Ｂに対応する位置にハンドル収納溝３２が設けられており、チルトスタンド位置Ｐ２において垂直部３１Ｂがハンドル収納溝３２に収納され、これによりハンドル３１がノートパソコン１の背面１Ａから突出しないようになされている。
【００４０】
かくしてノートパソコン１は、その携行時においてハンドル３１を携行位置Ｐ１に起立させることにより、把持部３１Ａを背面１Ａから十分に離開させて当該ハンドル３１の把持性を向上し、また、その使用時においてハンドル３１をチルトスタンド位置Ｐ２に折り畳むことにより、ハンドル３１の垂直部３１Ｂをハンドル収納溝３２に収納してノートパソコン１の奥行き方向の寸法を小型化すると共に、本体２を傾斜させてキーボード４の操作性を向上し得るようになされている。
【００４１】
ここで、図１０においてハンドル３１をチルトスタンド位置Ｐ２に回動した場合における本体２の傾斜角度をαとすると、ハンドル３１の回動角度範囲は、本体２と平行な状態（すなわち携行位置Ｐ１）から、９０°＋β（ここでβ＞α）の範囲に設定されており、このためハンドル３１はチルトスタンド位置Ｐ２において載置面Ａに対して鈍角（９０°＋β−α）をなす。
【００４２】
これによりハンドル３１は、ノートパソコン１の自重によって矢印Ｆ方向への力を受けて安定し、かくしてノートパソコン１においては、外力によってハンドル３１がチルトスタンド位置から不意に回動することを防止し得るようになされている。
【００４３】
また、ノートパソコン１においてはハンドル３１が入出力ポート部３０の上方に設けられているため、ハンドル３１が携行位置Ｐ１にある状態で入出力ポート部３０に入出力ケーブル３３を接続し（図１２（Ａ））、その後当該ハンドル３１をチルトスタンド位置Ｐ２に回動させようとすると、ハンドル３１と入出力ケーブル３３とが接触し、ハンドル３１をチルトスタンド位置Ｐ２へ回動し得ないばかりか、入出力ポート部３０や入出力ケーブル３３を破損してしまう恐れがあるという問題がある（図１２（Ｂ））。
【００４４】
このためノートパソコン１においては、当該ノートパソコン１を略水平に位置された状態でハンドル３１がその自重によって自然に下方へ回動するようにハンドル３１の回動抵抗が設定されており、これによりノートパソコン１をテーブル等に載置する際にハンドル３１がチルトスタンド位置Ｐ２近傍まで自動的に回動し、かくしてハンドル３１と入出力ケーブル３３との干渉を未然に防止するようになされている。
【００４５】
以上の構成において、このノートパソコン１では、表示部３における本体２とのヒンジ部１６を除いた周縁部に、パイプ状の周縁保護材１７を、その外周部が本体２の外周部よりも外方に張り出すようにして周設した。
【００４６】
従ってこのノートパソコン１では、当該ノートパソコン１の携帯時等に外部から加えられる衝撃を周縁保護材１７で受け止めることにより、本体２及び表示部３を衝撃から保護する。
【００４７】
またこのノートパソコン１では、ガスアシスト成形法を用いて、周縁保護材１７を分割することなく一体かつ中空に射出成形した。
【００４８】
従ってこのノートパソコン１では、周縁保護材１７の強度及び外観品質を向上し得ると共にその重量を軽減することができ、また、受け止めた衝撃に応じて周縁保護材１７が適度に変形することにより、当該衝撃を吸収して本体２及び表示部３に伝わる衝撃を軽減することができる。
【００４９】
以上の構成によれば、表示部３の周縁部に周縁保護材１７を本体２の外周部よりも突出して周設したことにより、ノートパソコン１の携帯時等に外部から加えられる衝撃を周縁保護材１７で受け止めて本体２及び表示部３を衝撃から保護し、かくして外部からの衝撃に対して強固なノートパソコンを実現することができる。
【００５０】
なお、上述の実施の形態においては、ノートパソコンに本発明を適用した場合について述べたが、本発明はこれに限らず、例えばＰＤＡ（Personal Data Assitant）やワードプロセッサ等、他の種々の携帯型情報処理装置に本発明を適用しても良い。
【００５１】
また、上述の実施の形態においては、丸パイプ状の周縁保護材１７を用いたが、本発明はこれに限らず、例えば楕円パイプや角パイプ等、種々の断面形状の周縁保護材１７を用いても良い。
【００５２】
さらに、上述の実施の形態においては、表示部３の周縁部に周縁保護材１７を周設したが、本発明はこれに限らず、本体２の周縁部に周縁保護材１７を周設しても良い。
【００５３】
【発明の効果】
上述のように本発明によれば、本体と、本体に対しヒンジ部を介して開閉自在に設けられた表示部と、剛性、硬度及び耐衝撃性を有する材質から成り、パイプ状に一体成型した保護部材を、ヒンジ部を除いた表示部の周縁部に対し周縁方向に突出して配設することにより本体及び表示部に対し外部からの衝撃を保護する保護手段とを設けたことにより、本体及び表示部を表示部の周縁に配設した剛性、硬度及び耐衝撃性を有する部材でパイプ状に一体成型された保護部材により保護できるので、本体及び表示部に内蔵された精密デバイスを保護できるとともに、強度及び外観品質を向上することができ、かくして外部からの衝撃に対して強固で外観品質を向上させ得る情報処理装置を実現することができる。
【図面の簡単な説明】
【図１】本発明によるノートパソコンの一実施の形態を示す略線的斜視図である。
【図２】周縁保護材と本体の関係を示す略線図である。
【図３】パイプ状部材の製造方法の例を示す略線的斜視図である。
【図４】ガスアシスト成形法の原理を示す略線図である。
【図５】ヒンジ部カバーとインジケータ部の関係を示す略線的斜視図である。
【図６】インジケータ部の構造を示す略線的斜視図である。
【図７】ノートパソコンの背面の構成を示す略線的斜視図である。
【図８】ハンドルの回動状態を示す略線的斜視図である。
【図９】ハンドルの回動状態を示す略線的斜視図である。
【図１０】ハンドルの回動角度を示す略線図である。
【図１１】ハンドル収納溝を示す略線的斜視図である。
【図１２】ハンドルと入出力ケーブルの干渉状態を示す略線図である。
【符号の説明】
１……ノートパソコン、２……本体、３……表示部、４……キーボード、５……スピーカ、６……タッチパッド、１０……ツメ、１１……孔部、１２……スライドレバー、１５……液晶ディスプレイ、１６……ヒンジ部、１７……周縁保護材、１８……ヒンジ部カバー、２０……インジケータ部、２１……導光体、２２……遮光体、２３……マスクシール、２５……シャーシ、２７……ＬＥＤ、３０……入出力ポート部、３１……ハンドル、３２……ハンドル収納溝。
【図１】
0004565296.tif 000002
【図２】
0004565296.tif 000003
【図３】
0004565296.tif 000004
【図４】
0004565296.tif 000005
【図５】
0004565296.tif 000006
【図６】
0004565296.tif 000007
【図７】
0004565296.tif 000008
【図８】
0004565296.tif 000009
【図９】
0004565296.tif 000010
【図１０】
0004565296.tif 000011
【図１１】
0004565296.tif 000012
【図１２】
0004565296.tif 000013